(57)【特許請求の範囲】
【請求項１】
遭難した場合に、遭難者が遭難信号を発し、自分の位置を示し救助を要求するための携帯型緊急標示装置において、
光度２０ｃｄ以上の高輝度で発光するＬＥＤライトと前記ＬＥＤライトの点滅回路とを備える発光部と、前記発光部の電池部と、前記発光部と前記電池部とを結ぶと共に引き出し可能に前記電池部に収納される電線と、前記発光部と前記電池部とを分離可能に結合する磁石とを有する標示体と、
燃焼性物質の燃焼によってガス圧を発生させる火工式点火器から成るイニシエータと、前記発光部と前記電池部とを前記磁石にて結合した状態で前記標示体を収容する収容部とを有し、前記イニシエータのガス圧力で前記収容部から前記標示体を押し出す発射装置と
を備え、
前記発射装置によって前記収容部から押し出された前記標示体は、前記ＬＥＤライトが光度２０ｃｄ以上の高輝度で発光し、点滅し、前記磁石の磁力を超える衝撃を受けると前記電線を介して前記発光部と前記電池部とに分離される
ことを特徴とする携帯用緊急標示装置。
【請求項２】
請求項１記載の携帯用緊急標示装置において、
前記標示体の発光部は、
外周にミラーシールを貼着し、前記ＬＥＤライトを取り付ける容器と、前記ＬＥＤライトの点滅回路と、鉄製円板とを備える
ことを特徴とする携帯用緊急標示装置。
【請求項３】
請求項１又は２記載の携帯用緊急標示装置において、
前記標示体の電池部は、
外周をカバーで覆う容器と、電池を収納し、前記容器内取り付けられる電池ボックスと、前記電池ボックスに取り付けられる前記磁石とを備える
ことを特徴とする携帯用緊急標示装置。
【請求項４】
請求項１ないし３の何れか記載の携帯用緊急標示装置において、
前記電線は、長さ３０〜５０ｃｍの絶縁電線である
ことを特徴とする携帯用緊急標示装置。
【請求項５】
請求項１ないし４の何れか記載の携帯用緊急標示装置において、
前記発射装置は、
前記イニシエータを保持する金属管と、前記イニシエータからの燃焼生成ガスを冷却濾過する成型フィルタと、ガスによる圧力で噴出される前記標示体を押し出すクッションプレートと、前記イニシエータ作動用の電源としての電池と、前記電池を保持するための電池ホルダと、前記イニシエータと前記電池を通電させるための作動スイッチと、前記作動スイッチの不意の操作を防ぐ安全ピンと傾斜スイッチとを有する
ことを特徴とする携帯用緊急標示装置。
【請求項６】
光度２０ｃｄ以上の高輝度で発光するＬＥＤライトと前記ＬＥＤライトの点滅回路とを備える発光部と、前記発光部の電池部と、前記発光部と前記電池部とを結ぶと共に引き出し可能に前記電池部に収納される電線と、前記発光部と前記電池部とを分離可能に結合する磁石とを有する標示体と、
燃焼性物質の燃焼によってガス圧を発生させる火工式点火器から成るイニシエータと、前記発光部と前記電池部とを前記磁石にて結合した状態で前記標示体を収容する収容部と、前記イニシエータと前記電池を通電させるための作動スイッチと、前記作動スイッチの不意の操作を防ぐ安全ピンと傾斜スイッチとを有し、前記イニシエータのガス圧力で前記収容部から前記標示体を押し出す発射装置と
を備え、
前記発射装置によって前記収容部から押し出された前記標示体は、前記ＬＥＤライトが光度２０ｃｄ以上の高輝度で発光し、点滅し、前記磁石の磁力を超える衝撃を受けると前記電線を介して前記発光部と前記電池部とに分離される
ことを特徴とする携帯用緊急標示装置。
【発明の詳細な説明】
【技術分野】
【０００１】
本発明は、登山（主に山菜取りなど、軽度の登山）において、遭難した場合に、遭難者が遭難信号を発し、自分の位置を示し救助を要求するための携帯型緊急標示装置に関する。
【背景技術】
【０００２】
従来、遭難等において、救助を求めるものが種々知られている。
例えば、特許文献１には、海上や山岳地帯等での遭難時に救援を求める際に用いる信号弾（光）とその信号弾発射装置が開示されている。
また、特許文献２には、危急の時に、被災した使用者が自分の位置を示すため、バルーンを浮上させ、救助を要求するための装置、およびこの装置を備える救命胴衣が開示されている。
【０００３】
さらに、特許文献３には、遭難等の緊急時に、遠方でも聞こえるような大きな音を連続的、断続的に発し、遠方からでもよく見える赤色等の強い光を連続的、断続的に発光することによって、救助の人達等に自分の居場所を知らせることができる、ペンシル、小形懐中電灯程度の大きさの救難報知具が開示されている。
【特許文献１】特開平１１−２１１４００号公報
【特許文献２】特開２００２−２４９５０号公報
【特許文献３】特開２００１−１２６１５１号公報
【発明の開示】
【発明が解決しようとする課題】
【０００４】
しかしながら、特許文献１の信号弾発射装置では、標示が一瞬であり、捜索隊が見つけることが困難である。また、装置を逆さまにすると作動する虞がある。
また、特許文献２の携帯可能な遭難信号装置では、装置が大型で重く、リックに入れることが困難である。また、風船を木の上方に浮かせることが難しいという問題がある。
さらに、特許文献３の救難報知具では、遭難者が携帯しているため、捜索者が見つけることが困難である。特に、木々に囲まれた山中で使用する場合は光を確認し難い。
【０００５】
本発明は斯かる従来の問題点を解決するために為されたもので、その目的は、登山（主に山菜取りなど、軽度の登山）における遭難時に木々の上方で標示体が持続的に発光、点滅して上空、遠方から視認しやすくした携帯用緊急標示装置を提供することにある。
【課題を解決するための手段】
【０００６】
本発明に係る携帯用緊急標示装置は、標示体と、発射装置とで構成されている。
標示体は、発光部と、発光部の電池部と、発光部と電池部とを結ぶ電線と、発光部と電池部とを分離可能に結合する磁石とを有し、発光部と電池部とに電線を介して分離することができる。
発射装置は、燃焼性物質の燃焼によってガス圧を発生させる火工式点火器から成るイニシエータと、標示体を収容する収容部とを有し、イニシエータのガス圧力で標示体を押し出すことができる。
そして、標示体の発光部は、外周にミラーシールを貼着した容器と、容器に取り付けられるＬＥＤライトと、ＬＥＤライトの点滅回路と、鉄製円板とを備えている。
【０００７】
また、ＬＥＤライトは、光度２０ｃｄ以上の高輝度ＬＥＤライトが用いられる。
また、標示体の電池部は、外周をカバーで覆い、電池を収納する電池ボックスを取り付ける容器と、電池ボックスルに取り付けられる磁石とを備えている。
また、電線は、長さ３０〜５０ｃｍの絶縁電線が用いられる。
【０００８】
また、発射装置は、イニシエータを保持する金属管と、イニシエータからの燃焼生成ガスを冷却濾過する成型フィルタと、ガスによる圧力で噴出される標示体を押し出すクッションプレートと、イニシエータ作動用の電源としての電池と、電池を保持するための電池ホルダと、イニシエータと電池を通電させるための作動スイッチと、作動スイッチの不意の操作を防ぐ安全ピンと傾斜スイッチとをさらに有する。
【発明の効果】
【０００９】
本発明に係る携帯用緊急標示装置は、登山（主に山菜取りなど、軽度の登山）において携帯可能であり、遭難した場合に、発射装置を作動して標示体が打ち上げられると、標示体が樹木に引っ掛かり、高い位置で持続的に発光、点滅するので、上空、遠方から視認しやすい。従って、遭難者が自分の位置を示し、救助を要求することができる。
【発明を実施するための最良の形態】
【００１０】
（実施形態）
以下、本発明を図面に示す実施形態に基づいて説明する。
図１〜図１２は、本発明の一実施形態に係る携帯用緊急標示装置１を示す。
本実施形態に係る携帯用緊急標示装置１は、標示体１０と、発射装置３０とで構成されている。
【００１１】
先ず、標示体１０は、図１、図３、図５〜図９に示すように、発光部１１と、発光部１１の電池部２０と、発光部１１と電池部２０とを結ぶ電線２７と、発光部１１と電池部２０とを分離可能に結合する磁石２５とを有する。
発光部１１は、外周にミラーシール１３を貼着した底付きの円筒形状の容器１２を有する。容器１２の底部１４には、４つのＬＥＤライト１６を接着剤で固定するための４つの窓孔１５が設けられている。４つの窓孔１５には、４つのＬＥＤライト１６が接着剤で固定されている。４つのＬＥＤライト１６は、点滅回路１７に半田付けされている。点滅回路１７には、鉄製円板１８が接着剤で固定されている。ここで、ミラーシール１３は、太陽光の反射により標示効果を向上させるために設けられている。また、４つのＬＥＤライト１６は、光度２０ｃｄ〜９０ｃｄの高輝度ＬＥＤライトが用いられている。さらに、点滅回路１７は、例えば、１０秒に１回の間隔で点滅を繰り返し、周囲に位置を標示することができるようにしてある。
【００１２】
電池部２０は、外周にカバー２２を貼着した底付きの円筒形状の容器２１を有する。容器２１内には、電池２４を収納する電池ボックス２３が接着剤で固定されている。電池ボックス２３の背面には、磁石２５が接着剤で固定されている。ここで、カバー２２は、標示体１０を木の枝などに引っ掛かり易くし、落下衝撃を緩和するために設けられている。
電線２７は、発光部１１の点滅回路１７と電池ボックス２３とを接続している。電線２７は、標示体１０が木の枝などに引っ掛かり易くするために、長さ３０〜５０ｃｍの絶縁電線（より線）が用いられている。
【００１３】
このように構成された標示体１０は、図９に示すように、電線２７を巻きながら電線２７を電池部２０の磁石２５の外周側に収容し、図５に示すように、発光部１１の鉄製円板１８と電池部２０の磁石２５とを接合し一体にされている。標示体１０は、発射装置３０によって押し出され、木の枝などにぶつかると、その衝撃で磁石２５と鉄製円板１８との結合が維持できなくなり、発光部１１と電池部２０とに分離し、電線２７を介して分離するようになっている。さらに、磁石２５と鉄製円板１８との結合関係につて説明すると、本実施形態では、２つの容器（発光部１１と電池部２０）を一体にするために磁石を使用しているため、磁石２５の重さ（磁石２５のサイズ）が関係する。本実施形態では、磁石２５として、φ５ｍｍ×ｈ５ｍｍのネオジウム磁石を用いた。この磁石２５の吸着力は、０．７３ｋｇである。この吸着力が、標示体１０を打ち上げたときは、２つの容器（発光部１１と電池部２０）を一体にすることができるが、枝などにぶつかると分離するのに適している。なお、打ち上げ時に２つの容器（発光部１１と電池部２０）が一体で、枝などにぶつかったときに、分離する吸着力は０．３ｋｇ〜２ｋｇであるが、本実施形態では、標示体１０のサイズから磁石２５の吸着力を０．７３ｋｇとした。
【００１４】
次に、発射装置３０は、図２に示すように、上部ハウジング３０Ａと下部ハウジング３０Ｂとをネジ４４で螺合することで外形が形成され、内部に、図１〜図４に示すように、燃焼性物質の燃焼によってガス圧を発生させる火工式点火器から成るイニシエータ３１と、イニシエータ３１を保持する金属管３２と、イニシエータ３１からの燃焼生成ガスを冷却濾過する成型フィルタ３３と、ガスによる圧力で噴出される標示体１０を押し出すクッションプレート３４と、標示体１０を収容する金属管３５と、金属管３５の開口を封鎖する蓋３６と、イニシエータ作動用の電源としての電池３７と、電池３７を保持するための電池ボックス３８と、イニシエータ３１と電池３７を通電させるために導線３１ａ、３７ａを介してイニシエータ３１と電池３７とに接続されている作動スイッチ（傾斜スイッチ）３９と、作動スイッチ（傾斜スイッチ）３９の不意の操作を防ぐ安全ピン４０とが、収容されている。上部ハウジング３０Ａおよび下部ハウジング３０Ｂは、上記各部品を確実に収容するために、各部品を納め込む領域として凹部や係止壁を形成している。
【００１５】
イニシエータ３１は、図１に示すように、片方のみ開放された筒状容器から成る有底のガス発生器管体に、ガス発生剤と点火薬カップと点火薬と電橋線付塞栓とを装着している。
ガス発生器管体は、アルミニウム等の軟質金属材料を用いることによって、非火薬組成物であるガス発生剤の反応熱および反応ガス圧力で容易に破壊して標示体１０に伝達することができる。このガス発生器管体は、加工性の良い軟質金属材料であれば何でも良いが、例えば銅を用いる電気雷管と全く同一の形状に成るため、アルミニウム（例えば、Ａｌ−６０１６−０等）を用いることにより紛らわしさを除いたものである。なお、このアルミニウム製のガス発生器管体には、内外面にアルマイト処理が施されている。
ガス発生器管体には、ガス発生剤が０．１ｇ〜１．１ｇの範囲で充填されている。このガス発生剤は、低振動・低騒音破砕薬剤ガンサイザー（日本工機株式会社製商品名）を使用している。これは、火薬類を用いた破砕方法と全く同じ手順で消費許可を必要とせずに岩盤等を破砕する非火薬破砕組成物である。この非火薬破砕組成物は、例えば、特開平１１−０２９３８９号公報に開示されている。本発明者は、この非火薬破砕組成物を岩盤等を破砕する目的ではなく、このガス圧力を標示体１０を飛ばす目的を達成するために、ガス発生剤３１ｆの粒径を揃えることでガス圧力のバラツキを小さくできることを見出した。また、物体を飛ばす性能にあわせてガス発生剤の薬量は変えることが可能である。
【００１６】
次に、ガス発生剤について説明する。
ガス発生剤を構成するテルミット剤、ガス発生剤、バインダーおよび鈍化剤の割合は、テルミット剤が酸化第二銅３３〜４４重量部とアルミニウム９〜１７重量部とから成り、ガス発生剤がカリウム明礬又はアンモニウム明礬４５〜５５重量部から成り、バインダーが塩化ビニル１．２〜１．８重量部から成り、鈍化剤がステアリン酸カルシウム２．４〜２．６重量部とから成る。
本実施形態では、アルミニウム１１．５重量部と酸化第二銅３８．５重量部とから成るテルミット剤と、カリウム明礬又はアンモニウム明礬５０重量部から成るガス発生剤と、予めアセトンに溶かしておいたバインダーとして用いる塩化ビニル粉１．５重量部とを同一容器に入れ、更に適量のアセトンを加えて良く混ぜる。アセトンがほぼ揮発し固まってきたら８メッシュの篩で造粒し、それを乾燥させる。乾燥後、鈍化剤としてステアリン酸カリウムを２．５重量部とアセトン適量を加えゆっくり混和し、先と同様にアセトンが気化し固まったら造粒し、乾燥してガス発生剤を得る。
このガス発生剤は、２４タイラーメッシュ通過４２タイラーメッシュ止まりの篩分け品を用いる。すなわち、粒径が０．３５ｍｍ〜０．７１ｍｍの範囲に調整されている。
【００１７】
ガス発生器管体内には、充填されたガス発生剤と点火薬との混合防止のために隔壁と成る合成樹脂製のカプセル形状の点火薬カップが配置されている。この点火薬カップは、金属、非金属を問わないが、金属材料では良電性であるために、電気的発火信号が電橋線には流れず放電エネルギーに費やされて、点火薬が不着火となる虞があることから絶縁処理（例えば、アルマイト処理等）する必要がある。
点火薬カップは、肉厚０．１μｍ以下の薄膜で形成したカプセルを半切した形状のものを使用し、点火薬カップに挿入される。点火薬カップおよび点火薬ホルダーには、非火薬組成物で構成する点火薬と電橋線付塞栓の電橋線（例えば、白金−イリジュウム線）とが配置されている。点火薬として、ボロン／酸化第二銅＝１０〜２０重量％／８０〜９０重量％を用いた。
成型フィルタ３３は、金網を圧縮成型した成型体が使用される。成型フィルタ３３は、ガス発生剤の燃焼残渣を冷却、濾過し、火炎が噴出しないように最適な成型密度を有する必要があり、３．８〜４．０ｇ／ｃｍ3に設定される。また、効率良く燃焼残渣を濾過するため、金網は線径が細い物が適しており、直径０．２ｍｍを使用する。
【００１８】
また、金属管３２は、内部にイニシエータ３１を収容、固定し、ハウジング３０Ａ，３０Ｂが発火衝撃で破損するのを防ぐ。金属管３５は、発射装置３０に標示体１０を収容し、発射口を形成する。クッションプレート３４は、金属管３５内に収容され、標示体１０の代わりにガス圧を受け、推進力を標示体１０に伝える。電池３７は、電池ボックス３８に収容され、イニシエータ３１を発火させる電源である。作動スイッチ（傾斜スイッチ）３９は、イニシエータ３１と電池３７の通電を開閉する。また、安全ピン４０が取り付けてあり、安全ピン４０を抜かないと物理的に作動スイッチ（傾斜スイッチ）３９を押すことができない。傾斜スイッチは、作動スイッチ（傾斜スイッチ）３９とイニシエータ３１の間に接続し、発射装置３０を鉛直方向に対して２０度の範囲に向けないと回路がＯＮにならないように設定されている。
【００１９】
次に、本実施形態に係る携帯用緊急標示装置１の作用を説明する。
本実施形態に係る携帯用緊急標示装置１を携帯する登山者が、例えば、図１０（Ａ）に示すように、樹林中で遭難した場合、遭難者は、発射装置３０の安全ピン４０を外し、作動スイッチ３９（傾斜スイッチ）をＯＮ操作にすると、電池３７のＢＡＴ（＋）とＥＸＰ（＋）とがショートし、イニシエータ３１のＥＸＰ（＋）とＥＸＰ（−）と間に接続した素子に通電が起こり、ガス発生剤が燃焼し、ガス発生剤の燃焼に伴うガス圧力が高まり、図１１に示すように、発生ガスが成型フィルタ３３にて冷却濾過されクッションプレート３４を介して標示体１０を金属管３５の発射口から蓋３６とともに噴出する。
【００２０】
標示体１０は、図１０（Ｂ）に示すように、上空に打ち上がり、重力により木の上に落下する。
この際、図１２（ａ）に示すように、木の枝５０に標示体１０が当たると、発光部１１と電池部２０とを結合している磁石２５の磁力では両者の結合を維持できなくなり、図１２（ｂ）に示すように、発光部１１と電池部２０とが分離し、図１２（ｃ）に示すように、それぞれが重力により地上に向かって落下し、両者を結ぶ電線２７が木の枝５０に引っ掛かり、発光部１１と電池部２０とが木の枝５０に吊り下げられた状態で保持される。
そのため、図１０（Ｃ）に示すように、４つのＬＥＤライト１６が、光度２０ｃｄ〜９０ｃｄの高輝度で発光し、点滅し、捜索者がヘリコプターなどによって上空から捜索する場合には、遠くからでも視認することが可能となる。
【００２１】
図１３は、発射装置３０の変形例を示す。
本例では、電池ボックス３８と、作動スイッチ（傾斜スイッチ）３９とをイニシエータ３１と直列に並べた点で、図１〜図１２に示す携帯用緊急標示装置１とは相違する。
本例も、上記実施形態と同様の作用効果を奏することができる。
【００２２】
図１４〜図１６は、標示体１０の変形例を示す。
本例では、ＬＥＤライト１６を電池部２０方向に２つ追加した点で、図１〜図１２に示す携帯用緊急標示装置１とは相違する。
本例では、電池部２０方向にも発光するように２つのＬＥＤライト１６を追加したので、例えば、図１０（Ｃ）のように木の枝に引っ掛かった場合、ＬＥＤライト１６の発光、点滅を視認する範囲が広くなり、捜索者への視認性が向上する。
また、本例も、上記実施形態と同様の作用効果を奏することができる。
【００２３】
（実験例）
次に、本実施形態携帯用緊急標示装置１における標示体１０について、さらに説明する。
（Ａ）標示体重量に応じたイニシエータ薬量の設定について
標示体重量に応じたイニシエータの薬量の設定を以下のように行った。
（１）標示体の条件
(1) 打ち上げ高さの設定
一般的な樹木の高さ
アカマツ３０〜３５ｍ、クスノキ２０〜３５ｍ、ヒノキ２０〜３０ｍ、クロマツ３    ０〜３５ｍ、スギ２０〜３０ｍ、モミ２０〜３０ｍ
（社団法人全国森林レクリエーション協会ＨＰ「街の近くで見かける樹木５０」よ    り抜粋）
したがって、標示体１０の打ち上げ高さは、最低でも樹木の高さを十分に超える、    ４０ｍ以上は必要である。
また、標示体１０を打ち上げ過ぎると、打ち上げた位置から大きくずれてしまう可    能性があるため打ち上げ高さを６０ｍ程度までに制限する。
以上より、標示体の打ち上げ高さを４０〜６０ｍと設定した。
【００２４】
(2) 設定した打ち上げ高さを実現するための速度
一般に、鉛直上向きに初速ｖ0で投げ上げた物体が到達する高さは以下の式で求めら    れる。
Ｈ＝ｖo2／２ｇ
標示体を４０〜６０ｍ打ち上げるために必要な初速は２８〜３５ｍ／ｓになる。
(3) 標示体重量
携帯型緊急標示装置は携帯可能な大きさであり、そこから発射される標示体も大き    さに制限がある。
発射装置３０の大きさ、標示体１０の部品構成から、標示体１０の重量は最低でも    ４０ｇ、最大でも１００ｇとする。
【００２５】
（２）実験
(1) 標示体初速測定
標示体重量を５６ｇと仮定し、初速測定（ｍ／ｓ）を行った。
その結果を、表１に示す。
【００２６】
【表１】
0005108624.tif 000002
表１において、フィルタ密度は３．８〜４．０ｇ／ｃｍ3の範囲になるように成型し    た。
【００２７】
(2) イニシエータガス発生剤薬量と１０ｃｃタンク圧力の関係
図１７は、イニシエータガス発生剤薬量と１０ｃｃタンク圧力の関係を示すグラフ    である。
(3) 圧力と運動エネルギーの関係
(1)と(2)の結果からイニシエータの圧力と標示体の運動エネルギーの関係を求めた。
その結果を図１８に示す。
(4) 標示体重量と薬量の関係
１．(3)で求めた運動エネルギーを初速３１ｍ／ｓの二乗と２で除すと、任意の圧力    における標示体重量が分かる。
初速３１ｍ／ｓは標示体の打ち上げ高さである４０〜６０ｍの中間の５０ｍまで打    ち上げるための初速である。
初速を３１ｍ／ｓにすることで、打ち上げ高さの範囲内に標示体を打ち上げること    ができる。
２．１項で求めた圧力から(2)を参考に薬量を求め、標示体重量と薬量の関係を求め    た。その結果を図１９に示す。
（１）（２）より、以下の表２のように標示体重量に合わせた薬量を設定できる。
【００２８】
【表２】
0005108624.tif 000003
【００２９】
（３）実施例
（２）で求めた、標示体重量と薬量の関係を利用して実際に試験した。
標示体重量が６０ｇでフィルタ重量が３．０ｇのときの薬量は０．２５ｇである。
参考までに、標示体重量、フィルタ重量は同じで、薬量が０．２ｇ、０．３ｇの場合  の試験も行った。
その結果を表３に示す。
【００３０】
【表３】
0005108624.tif 000004
【００３１】
・薬量０．２５ｇでは、打ち上げ高さ４０〜６０ｍの範囲であった。
・薬量０．２ｇでは、打ち上げ高さ４０ｍを超えることはできなかった。
・薬量０．３ｇでは、打ち上げ高さ６０ｍを超えてしまうことがあった。
【００３２】
（Ｂ）標示体１０の電線２７の設定について
標示体１０が樹木に引っ掛かるための最適な電線２７を検討する。
標示体１０が樹木に引っ掛かる原理を、図２０に示す。
試験方法
１．図２１に示すように、枝を模擬した、φ２０程度の丸棒を固定したフレームを準      備する。
２．１番上（１段目）の丸棒の１ｍ上から図２２の試験品を落下させる。
絶縁電線は、より線とし、柔軟性のあるより線であれば、引っ掛かる機能に線径      は影響しないため、本試験においては、線径０．９ｍｍを基準に、線径１．２ｍｍ      を加え試験する。
３．落下した試験品が丸棒に引っ掛かるか試験する。
結果を表４に示す。
【００３３】
【表４】
0005108624.tif 000005
【００３４】
表中、１は、１段目に引っ掛かる
２は、２段目に引っ掛かる
３は、３段目に引っ掛かる
４は、４段目に引っ掛かる
×は、引っ掛からない
電線は、絶縁電線
【００３５】
電線の長さを３０ｃｍ以上にすると、引っ掛かり率が１００％であった。
以上より、最適な電線の長さは、３０〜５０ｃｍであることが分かった。
なお、汎用の絶縁電線の最小線径は０．５ｍｍである。この線径であっても、引っ掛かり性は最適な電線長さであれば同等と推定できる。
【００３６】
（Ｃ）ＬＥＤライト１６視認性について
視認性の良いＬＥＤライトの条件を検証する。
試験方法
図２３のように、距離１５０ｍ、高さ１８０ｃｍの位置にＬＥＤライトを試験者に向  けて設置する。
ここで、距離１５０ｍは、航空法の最低安全高度を参考に設定した。
試験者は視力０．７〜１．２以内の５人を選び、天気が晴れとくもりの日中にそれぞ  れ試験した。ここで、視力０．７以上は第１種普通自動車の免許取得に必要な視力であ  る。
１回目で確認できれば１、２回目は２、３回目は３、確認できなければ×と記録した。
晴れとくもりで、５人中５人全員が３回以内に確認できた項目はハッチングした。
その結果表５に示す。
【００３７】
【表５】
0005108624.tif 000006
【００３８】
表中、ＬＥＤライト仕様
(1)φ３ｍｍ白色ＬＥＤ（光度：１１ｃｄ、指向角度：２５°）
(2)φ５ｍｍ白色ＬＥＤ（光度：２０ｃｄ、指向角度：８０°）
(3)φ５ｍｍ白色ＬＥＤ（光度：２５ｃｄ、指向角度：２０°）
(4)φ１０ｍｍ白色ＬＥＤ（光度：９０ｃｄ、指向角度９°）
(5)φ５ｍｍ赤色ＬＥＤ（光度：１４ｃｄ、指向角度：１５°）
(6)φ５ｍｍ赤色ＬＥＤ（光度：２０ｃｄ、指向角度：２０°）
(7)φ１０ｍｍ赤色ＬＥＤ（光度：３０ｃｄ、指向角度：２５°）
(8)φ５ｍｍ黄色ＬＥＤ（光度：２０ｃｄ、指向角度：２０°）
(9)φ５ｍｍ青色ＬＥＤ（光度：９ｃｄ、指向角度：２０°）
この結果を１回目で確認できれば３点、２回目で２点、３回目で１点、確認できなければ０点とし、点数化すると表６のようになる。
この結果と同様に、視認率１００％の水準は、ハッチングした。
【００３９】
【表６】
0005108624.tif 000007
【００４０】
装置の性質上、視認率は１００％が最適であり、それを満たす仕様は(4)(6)(7)ある。
したがって、ＬＥＤライトの光度の最低要件は、２０ｃｄ以上となる。
なお、ＬＥＤライトの色については、入手性も考慮すると、赤が最適であり、次いで白、黄、青の順となる。
【図面の簡単な説明】
【００４１】
【図１】本発明の一実施形態に係る携帯用緊急標示装置の上部ハウジングを取り除き、標示体とイグナイタが見えるようにした一部切り欠き平面図である。
【図２】本発明の一実施形態に係る携帯用緊急標示装置の分解図である。
【図３】本発明の一実施形態に係る携帯用緊急標示装置の上部ハウジングを取り除いた斜視図である。
【図４】本発明の一実施形態に係る携帯用緊急標示装置の斜視図である。
【図５】本発明の一実施形態に係る携帯用緊急標示装置に用いる標示体の断面図である。
【図６】本発明の一実施形態に係る携帯用緊急標示装置に用いる標示体の分解図である。
【図７】本発明の一実施形態に係る携帯用緊急標示装置に用いる標示体を発光部と電池部とに分離して示す断面図である。
【図８】本発明の一実施形態に係る携帯用緊急標示装置に用いる標示体を発光部と電池部とに分離して示す斜視図である。
【図９】本発明の一実施形態に係る携帯用緊急標示装置に用いる標示体を発光部と電池部とに結合する前の状態を示す斜視図である。
【図１０】本発明の一実施形態に係る携帯用緊急標示装置の使用例を示す説明図である。
【図１１】本発明の一実施形態に係る携帯用緊急標示装置を作動した状態を示す斜視図である。
【図１２】本発明の一実施形態に係る携帯用緊急標示装置から発射された標示体が木の枝にぶつかって発光部と電池部とに分離し木の枝に引っ掛かる状態を示す説明図である。
【図１３】本発明の一実施形態に係る携帯用緊急標示装置の変形例を上部ハウジングを取り除いて示す斜視図である。
【図１４】本発明の一実施形態に係る携帯用緊急標示装置の標示体の変形例を示す断面図である。
【図１５】本発明の一実施形態に係る携帯用緊急標示装置の標示体の変形例を発光部と電池部とに分離して示す断面図である。
【図１６】本発明の一実施形態に係る携帯用緊急標示装置の標示体の変形例を発光部と電池部とに分離して示す斜視図である。
【図１７】イニシエータガス発生剤薬量と１０ｃｃタンク圧力の関係を示すグラフで  ある。
【図１８】イニシエータの圧力と標示体の運動エネルギーの関係を求めたグラフである。
【図１９】標示体重量と薬量の関係を求めたグラフである。
【図２０】標示体１０が樹木に引っ掛かる原理を示す説明図である。
【図２１】標示体１０が樹木に引っ掛かる試験装置を示す説明図である。
【図２２】標示体１０が樹木に引っ掛かる試験装置に用いられる試験品を示す説明図である。
【図２３】視認性の良いＬＥＤライトの条件を検証する試験方法を示す説明図である。
【符号の説明】
【００４２】
１  携帯用緊急標示装置
１０  標示体
１１  発光部
１２  容器
１３  ミラーシール
１４  底部
１５  窓孔
１６  ＬＥＤライト
１７  点滅回路
１８  鉄製円板
２０  電池部
２１  容器
２２  カバー
２３、３８  電池ボックス
２４、３７  電池
２５  磁石
２７  電線
３０  発射装置
３０Ａ  上部ハウジング
３０Ｂ  下部ハウジング
３１  イニシエータ
３２、３５  金属管
３３  成型フィルタ
３４  クッションプレート
３６  蓋
３９  作動スイッチ（傾斜スイッチ）
４０  安全ピン
４４  ネジ
５０  木の枝
【図１】
0005108624.tif 000008
【図２】
0005108624.tif 000009
【図３】
0005108624.tif 000010
【図４】
0005108624.tif 000011
【図５】
0005108624.tif 000012
【図６】
0005108624.tif 000013
【図７】
0005108624.tif 000014
【図８】
0005108624.tif 000015
【図９】
0005108624.tif 000016
【図１１】
0005108624.tif 000017
【図１３】
0005108624.tif 000018
【図１５】
0005108624.tif 000019
【図１６】
0005108624.tif 000020
【図１７】
0005108624.tif 000021
【図１８】
0005108624.tif 000022
【図１９】
0005108624.tif 000023
【図２０】
0005108624.tif 000024
【図２１】
0005108624.tif 000025
【図２２】
0005108624.tif 000026
【図２３】
0005108624.tif 000027
【図１０】
0005108624.tif 000028
【図１２】
0005108624.tif 000029
【図１４】
0005108624.tif 000030